【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
モバイルＩＰネットワークに用いられるホームエージェントであって、少なくとも、
移動ノードに割り当てられたマルチキャスト気付きアドレスと移動ノードが加入しているマルチキャストグループとのバインディング関係を確立するマルチキャストバインディングテーブルと、
前記モバイルＩＰネットワークにおける相手通信ノードから送信されたマルチキャストパケットを受信する受信モジュールと、
前記マルチキャストバインディングテーブルにおける前記マルチキャストパケットのマルチキャストグループに対応するバインディング関係の中のマルチキャスト気付きアドレスの数に基づいて、相応する数の前記マルチキャストパケットを生成し、それぞれの生成されたマルチキャストパケットに対してトンネルカプセル化を行うマルチキャスト処理モジュールと、
トンネルを通して前記対応するバインディング関係の中の一つのマルチキャスト気付きアドレスに対応するマルチキャストデータ交換装置にそれぞれの前記トンネルカプセル化されたマルチキャストパケットを送信する送信モジュールとを備えることを特徴とするホームエージェント。
【請求項２】
前記マルチキャストバインディングテーブルの構造は前記モバイルＩＰネットワークにおけるモバイルＩＰバインディングテーブルの構造と同じであることを特徴とする請求項１に記載のホームエージェント。
【請求項３】
前記受信モジュールは、外部ネットワークにローミングした移動ノードからトンネルを通して送信されたマルチキャストへの加入メッセージを受信することと、
前記マルチキャスト処理モジュールは、前記マルチキャストへの加入メッセージに基づいて、前記マルチキャストバインディングテーブルにおいて、前記移動ノードが前記外部ネットワークにおいて割り当てられたマルチキャスト気付きアドレスと前記移動ノードが加入しているマルチキャストグループとのバインディング関係を確立することと、
前記送信モジュールは、前記外部ネットワークにおいて前記移動ノードに割り当てられたマルチキャスト気付きアドレスを有するマルチキャストデータ交換装置に前記移動ノードのマルチキャストへの加入を指示するマルチキャストバインディング通知メッセージを送信することとをさらに含むことを特徴とする請求項１に記載のホームエージェント。
【請求項４】
前記受信モジュールは、外部ネットワークにローミングした移動ノードからトンネルを通して送信されたマルチキャストからの離脱メッセージを受信することと、
前記送信モジュールは、前記受信されたマルチキャストからの離脱メッセージに基づいて、前記外部ネットワークにおいて前記モバイル移動ノードに割り当てられたマルチキャスト気付きアドレスを有するマルチキャストデータ交換装置に前記移動端末のマルチキャストからの離脱を指示するマルチキャストバインディング通知メッセージを送信することと、
前記受信モジュールは、前記外部ネットワークにおいて前記モバイル移動ノードに割り当てられたマルチキャスト気付きアドレスを有するマルチキャストデータ交換装置から送信されたバインディング関係更新状況を表明するマルチキャストバインディング確認メッセージを受信することと、
前記マルチキャスト処理モジュールは、前記受信されたマルチキャストバインディング確認メッセージに基づいて、前記マルチキャストバインディングテーブルの中の前記移動ノードに割り当てられたマルチキャスト気付きアドレスと離脱したマルチキャストグループとのバインディング関係を更新することとをさらに含むことを特徴とする請求項１に記載のホームエージェント。
【請求項５】
前記マルチキャストデータ交換装置は外部エージェントまたはマルチキャストアクセスルータであることを特徴とする請求項１ないし４のいずれかに記載のホームエージェント。
【請求項６】
モバイルＩＰネットワークに用いられるマルチキャストデータ交換装置であって、少なくとも、
移動ノードのアドレスと加入しているマルチキャストグループおよび割り当てられたマルチキャスト気付きアドレスとのバインディング関係を確立するマルチキャストバインディングテーブルと、
ホームエージェントからトンネルを通して送信されたトンネルカプセル化されたマルチキャストパケットを受信する受信モジュールと、
前記マルチキャストバインディングテーブルにおける前記トンネルカプセル化されたマルチキャストパケットのマルチキャストグループとマルチキャスト気付きアドレスとに対応するバインディング関係に基づいて、前記対応するバインディング関係の中の移動ノードのアドレスと同じ数の前記トンネルカプセル化されたマルチキャストパケットを生成するマルチキャスト処理モジュールと、
それぞれの前記生成されたトンネルカプセル化されたマルチキャストパケットを前記対応するバインディング関係の中の一つのマルチキャスト気付きアドレスに対応する移動ノードに送信する送信モジュールとを備えることを特徴とするマルチキャストデータ交換装置。
【請求項７】
前記受信モジュールは、前記ホームエージェントから送信された移動ノードのマルチキャストへの加入を指示するマルチキャストバインディングメッセージを送信することと、
前記マルチキャスト処理モジュールは、前記受信されたマルチキャストバインディング通知メッセージに基づいて、前記マルチキャストバインディングテーブルにおいて前記マルチキャストに加入した移動ノードのアドレスと加入しているマルチキャストグループおよび割り当てられたマルチキャスト気付きアドレスとのバインディング関係を確立することとをさらに含むことを特徴とする請求項６に記載のマルチキャストデータ交換装置。
【請求項８】
前記受信モジュールは、ホームエージェントから送信された移動ノードのマルチキャストからの離脱を指示するマルチキャストバインディング通知メッセージを受信することと、
前記マルチキャスト処理モジュールは、前記受信されたマルチキャストバインディング通知メッセージに基づいて、前記マルチキャストバインディングテーブルの中から前記マルチキャストを離脱した移動ノードのアドレスと離脱したマルチキャストグループおよび割り当てされたマルチキャスト気付きアドレスとのバインディング関係を削除することと、
前記送信モジュールは、前記ホームエージェントにバインディング関係更新状況を表明するマルチキャストバインディング確認メッセージを送信することとをさらに含むことを特徴とする請求項６に記載のマルチキャストデータ交換装置。
【請求項９】
前記マルチキャストデータ交換装置は外部エージェントであり、前記移動ノードのアドレスは移動ノードのホームアドレスであることを特徴とする請求項６ないし８のいずれかに記載のマルチキャストデータ交換装置。
【請求項１０】
モバイルＩＰネットワークであって、少なくとも、
マルチキャストパケットを送信する相手通信ノードと、ホームエージェントと、マルチキャストデータ交換装置とを備え、
前記ホームエージェントは、
移動ノードに割り当てられたマルチキャストデータ気付きアドレスと移動ノードが加入しているマルチキャストグループとのバインディング関係を確立する第一のマルチキャストバインディングテーブルと、
前記相手通信ノードから送信されたマルチキャストパケットを受信する第一の受信モジュールと、
前記第一のマルチキャストバインディングテーブルにおける前記マルチキャストパケットのマルチキャストグループに対応する第一のバインディング関係の中のマルチキャスト気付きアドレスの数に基づいて、相応する数の前記マルチキャストパケットを生成し、それぞれの生成されたマルチキャストパケットに対してトンネルカプセル化を行う第一のマルチキャスト処理モジュールと、
トンネルを通して前記対応する第一のバインディング関係の中の一つのマルチキャスト気付きアドレスに対応する前記マルチキャストデータ交換装置にそれぞれの前記トンネルカプセル化されたマルチキャストパケットを送信する第一の送信モジュールとを備え、
前記マルチキャストデータ交換装置は、
移動ノードのアドレスと加入しているマルチキャストグループおよび割り当てられたマルチキャスト気付きアドレスとのバインディング関係を確立する第二のマルチキャストバインディングテーブルと、
前記ホームエージェントからトンネルを通して送信されたトンネルカプセル化されたマルチキャストパケットを受信する第二の受信モジュールと、
前記第二のマルチキャストバインディングテーブルにおける前記トンネルカプセル化されたマルチキャストパケットのマルチキャストグループとマルチキャスト気付きアドレスとに対応する第二のバインディング関係に基づいて、前記対応する第二のバインディング関係の中の移動ノードのアドレスと同じ数の前記トンネルカプセル化されたマルチキャストパケットを生成する第二のマルチキャスト処理モジュールと、
それぞれの前記生成されたトンネルカプセル化されたマルチキャストパケットを前記対応する第二のバインディング関係の中の一つの移動ノードのアドレスに対応する移動ノードに転送する第二の送信モジュールとを備えることを特徴とするモバイルＩＰネットワーク。
【請求項１１】
前記第一のマルチキャストバインディングテーブルの構造は前記モバイルＩＰネットワークのモバイルＩＰバインディングテーブルの構造と同じである請求項１０に記載のモバイルＩＰネットワーク。
【請求項１２】
前記ホームエージェントは、
前記第一の受信モジュールが、前記マルチキャストデータ交換装置が位置する外部ネットワークにローミングした移動ノードからトンネルを通して送信されたマルチキャストへの加入メッセージを受信することと、
前記第一のマルチキャスト処理モジュールが、前記マルチキャストへの加入メッセージに基づいて、前記第一のマルチキャストバインディングテーブルにおいて前記マルチキャストに加入した移動ノードに割り当てられたマルチキャスト気付きアドレスと加入しているマルチキャストグループとの第一のバインディング関係を確立することと、
前記第一の送信モジュールが、前記マルチキャストデータ交換装置に前記移動ノードのマルチキャストへの加入を指示するマルチキャストバインディング通知メッセージを送信することとをさらに含み、
前記マルチキャストデータ交換装置は、
前記ホームエージェントから送信されたマルチキャストバインディング通知メッセージを受信する前記第二の受信モジュールと、
前記受信されたマルチキャストバインディング通知メッセージに基づいて、前記第二のマルチキャストバインディングテーブルにおいて前記マルチキャストに加入した移動ノードのアドレスと加入しているマルチキャストグループおよび割り当てられたマルチキャスト気付きアドレスとの第二のバインディング関係を確立する前記第二のマルチキャスト処理モジュールとをさらに備えることを特徴とする請求項１０に記載のモバイルＩＰネットワーク。
【請求項１３】
前記ホームエージェントは、
前記第一の受信モジュールが、前記マルチキャストデータ交換装置が位置する外部ネットワークにローミングした移動ノードからトンネルを通して送信されたマルチキャストからの離脱メッセージを受信することと、
前記第一の送信モジュールが、前記受信されたマルチキャストからの離脱メッセージに基づいて、前記マルチキャストデータ交換装置に前記移動端末のマルチキャストからの離脱を指示するマルチキャストバインディング通知メッセージを送信することと、
前記第一の受信モジュールが、前記マルチキャストデータ交換装置から送信されたバインディング関係更新状況を表明するマルチキャストバインディング確認メッセージを受信することと、
前記第一のマルチキャスト処理モジュールが、前記受信されたマルチキャストバインディング確認メッセージに基づいて、前記第一のマルチキャストバインディングテーブルの中の前記移動ノードに割り当てられたマルチキャスト気付きアドレスと離脱したマルチキャストグループとの第一のバインディング関係を更新することとをさらに含み、
前記マルチキャストデータ交換装置は、
前記ホームエージェントから送信された前記移動ノードのマルチキャストからの離脱を指示するマルチキャストバインディング通知メッセージを受信する前記第二の受信モジュールと、
前記受信されたマルチキャストバインディング通知メッセージに基づいて、前記第二のマルチキャストバインディングテーブルの中から前記マルチキャストを離脱した移動ノードのアドレスと離脱したマルチキャストグループおよび割り当てられたマルチキャスト気付きアドレスとの第二のバインディング関係を削除する前記第二のマルチキャスト処理モジュールと、
前記ホームエージェントにバインディング関係更新状況を表明するマルチキャストバインディング確認メッセージを送信する前記第二の送信モジュールとをさらに備えることを特徴とする請求項１０に記載のモバイルＩＰネットワーク。
【請求項１４】
前記マルチキャストデータ交換装置は外部エージェントであり、前記移動ノードのアドレスは移動ノードのホームアドレスであることを特徴とする請求項１０ないし１３のいずれかに記載のモバイルＩＰネットワーク。
【請求項１５】
前記マルチキャストデータ交換装置はマルチキャストデータルータであり、前記移動ノードのアドレスは移動ノードの気付きアドレスであることを特徴とする請求項１０ないし１３のいずれかに記載のモバイルＩＰネットワーク。